(57)【要約】  情報集約技術が記載される。実施例において、ソーシャルネットワークの非会員に関連する情報源の指示を含む通信が受信される。非会員に関連する情報がソースから集められる。ソースからの情報とインタラクトするために、当該集約は、ソーシャルネットワークサービスの会員による選択の受信に応答して行われてもよい。その後、集められた情報は、ソーシャルネットワークとのインタラクションのために出力されるウェブページと協力して会員に提示されてもよい。
2012533116.tif 000002
【特許請求の範囲】
【請求項１】
ソーシャルネットワークの非会員に関連付けられる情報源を示す通信を前記非会員から受信するステップ（４０２）と、
前記非会員に関連付けられる情報を前記情報源から集めるステップ（４０６）と、
前記ソーシャルネットワークとのインタラクションを可能にするためにサービスプロバイダーによって前記会員へ出力されるウェブページと協力して、集められた前記情報を前記ソーシャルネットワークの会員に提示するステップ（４１２）と
を含むコンピューターにより実施される方法。
【請求項２】
前記通信は前記非会員に関連付けられる情報のフィードへのリンクを含み、前記リンクは前記情報のフィードにアクセスするために使用可能である請求項１に記載のコンピューターにより実施される方法。
【請求項３】
前記情報は、
インスタントメッセージ、
ブログエントリー、
ウェブページ、又は
電子メールメッセージ
のうちの１つ以上を含む請求項１に記載のコンピューターにより実施される方法。
【請求項４】
ソーシャルネットワークサービスを介した情報との会員のインタラクションに応答して、前記サービスプロバイダーによって提供される前記ソーシャルネットワークサービスに参加するための招待状を前記非会員に送信するステップをさらに含み、前記招待状は前記情報を含む前記サービスプロバイダーにアカウントを作成するのに使用可能である請求項１に記載のコンピューターにより実施される方法。
【請求項５】
前記集めるステップは、前記情報を接触記録中のデータに関連付けるステップをさらに含む請求項１に記載のコンピューターにより実施される方法。
【請求項６】
前記提示するステップは、集められる前記情報を含む前記ウェブページ内で前記会員に対して情報のフィードを提示するステップを含む請求項１に記載のコンピューターにより実施される方法。
【請求項７】
前記サービスプロバイダー及び前記ソーシャルネットワークは共通の技術標準を実施する請求項１に記載のコンピューターにより実施される方法。
【請求項８】
外部のソースから情報を受け取るために、ソーシャルネットワークサービス（１０２）の会員による選択の受信に応答して、前記ソーシャルネットワークサービスの非会員に関連付けられる情報を集めるステップと、
前記ソーシャルネットワークサービス（１０２）に前記非会員のアカウントを作成することに応答して、集められる前記情報を前記非会員のアカウントに含めるステップと
を含むコンピューターにより実施される方法。
【請求項９】
前記選択は、
手動の選択、
前記会員によって受信される通信に基づく自動的な選択
のうちの１つ以上を含む請求項８に記載の方法。
【請求項１０】
前記情報は、
ブログエントリー、
ウェブページ、
インスタントメッセージ、又は
電子メールメッセージ
のうちの１つ以上を含む請求項８に記載の方法。
【請求項１１】
前記ソーシャルネットワークサービスに前記アカウントを作成するのに使用可能な招待状を前記非会員へ送信するステップをさらに含む請求項８に記載の方法。
【請求項１２】
前記命令は、前記非会員のアカウントの作成に応答して、前記会員のアカウントに通知を送信するようにさらに実行可能である請求項８に記載の方法。
【請求項１３】
前記命令は、
前記アカウントの作成の後に前記外部のソースから情報を受信し、前記会員のアカウントへ前記情報を転送するようにさらに実行可能であり、前記情報は、前記情報が前記アカウントから生じたかのように見えるように、前記非会員について作成されたアカウントを使用して転送される請求項８に記載の方法。
【発明の詳細な説明】
【技術分野】
【０００１】
本発明は、情報集約サービスに関する。
【背景技術】
【０００２】
[0001]ソーシャルネットワークサービスは、ユーザー（例えば、会員）がソーシャルネットワークを確立し、ソーシャルネットワークを介して互いに情報を通信することを可能にする。ソーシャルネットワークの会員は、自分たちのソーシャルネットワークに参加していない他のユーザーを知っているかもしれない。例えば、ソーシャルネットワークにおける友人のグループには、会員でない別の友人がいるかもしれない。
【発明の概要】
【発明が解決しようとする課題】
【０００３】
[0002]会員でない友人とインタラクトするために従来の手法を使用して、ソーシャルネットワーク中の友人は、電子メールを介したり非会員が投稿するウェブサイトを訪れたりすることなどによって、ソーシャルネットワークサービスの外の非会員（non-member）の友人から情報を得てもよい。しかし、この従来の手法は、各会員が会員でない友人と別々にインタラクトすることを含んでいる。したがって、異なる会員に配信される、非会員に関連する情報は、同じではないかもしれない。さらに、グループ内の友人は、ソーシャルネットワークサービスの外部の会員でない友人のことを調べるのを忘れるかもしれず、そうすることはその友人にとってかなり迷惑なことかもしれない。
【課題を解決するための手段】
【０００４】
[0003]情報集約技術が本明細書において記載される。実施例において、ソーシャルネットワークの非会員（non-member）に関連付けられる情報源の指示を含む通信が受信される。非会員に関連付けられる情報がソースから集められる。当該集約は、ソースからの情報とインタラクトするために、ソーシャルネットワークサービスの会員による選択を受信することに応答して行われてもよい。その後、集められた情報は、ソーシャルネットワークとのインタラクションのためにウェブページ出力と協力して（連動して、併せて）会員に提示されてもよい。
【０００５】
[0004]実施例において、１つ以上のコンピューター読み取り可能な記憶媒体は、外部のソースからの情報とインタラクトするために、ソーシャルネットワークの会員による選択の受信に応答してソーシャルネットワークの非会員に関連する情報を集めるように実行可能な命令を含む。当該情報はまた、非会員について格納されてもよく、非会員がアカウントを作成することを選択する場合に、ソーシャルネットワークサービスに非会員のためのアカウントを追加するように使用されてもよい。
【０００６】
[0005]実施例において、１つ以上のコンピューター読み取り可能な媒体は、ソーシャルネットワークの非会員に関連付けられる情報の供給（フィード）から情報を受信するように実行可能な命令を含む。当該情報は非会員のインタラクションのために集められ、したがって、当該情報は、非会員に対する接触記録を有するソーシャルネットワークの会員の１つ以上のアカウントに対して利用可能である。
【０００７】
[0006]この概要は詳細な説明においてさらに以下に述べられる概念のうちの選択されたものを単純化された形式で紹介するために提供される。この概要は、特許請求された主題の重要な特徴又は不可欠な特徴を識別するようには意図されず、特許請求された主題の範囲の決定に際して助けとして使用されるようにも意図されない。
【０００８】
[0007]詳細な説明は添付の図面に関して記載される。図面において、参照番号の左端の数字は、参照番号が最初に現れる図面を識別する。明細書及び図面における異なる例で同じ参考番号を使用することは、類似の又は同一の項目を示してもよい。
【図面の簡単な説明】
【０００９】
【図１】[0008]情報の集約を行うように動作可能な例示的な実施例における環境の例である。
【図２】[0009]非会員から情報を受信するために図１の集約サービスを使用することを示す例示的な実施例におけるシステムの例である。
【図３】[0010]招待を提供するための集約サービスの実施を示す例示的な実施例におけるシステムの例である。
【図４】[0011]非会員から情報を集めるのに使用される例示的な実施例における手続を示すフロー図である。
【発明を実施するための形態】
【００１０】
概要
[0012]ソーシャルネットワークサービスは、ソーシャルネットワークサービスによって提供され得る、会員プロフィールページ、メッセージボード、グループウェブサイト（１つ以上のウェブページを含む）及びグループ電子メールを介するなどして、ソーシャルネットワークサービスを使用して、会員がソーシャルネットワークを確立して互いに情報を交換することを可能にする。時々、会員は、自分たちのソーシャルネットワークの会員でない人、例えば非会員、とインタラクトすることを望む。例えば、会員は、ソーシャルネットワークの会員でない別の友人を知っているかもしれない。当該非会員は、ブログウェブサイトを介するなどして、外部のソースを通じて情報（例えば、状態の更新、投稿、写真、及びコンテンツ）を作成してもよい。従来、会員は、非会員の情報を見るために、適切なウェブサイト（例えば、ブログ）へ手動でナビゲートしなければならない。この従来の手法は時間を浪費し会員にとって不都合なものとなり得る。
【００１１】
[0013]情報集約（アグリゲーション）技術が本明細書において記載される。ソーシャルネットワークの会員に対する通信のためにソーシャルネットワークの非会員に関連付けられる情報を集める技術が実施されてもよい。ソーシャルネットワークサービスは、１つ以上の外部のソースを使用して非会員によって作成される情報を集めるように構成されてもよい。外部のソースは、ソーシャルネットワークサービスの外部の様々なソースを含んでもよい。外部のソースは、ソーシャルネットワークサービスのプロバイダー及び／又は第三者のプロバイダーから利用可能であってもよい。例えば、企業はソーシャルネットワークサービス及び第三者プロバイダーの両方を運営してもよい。ソーシャルネットワークサービスは、非会員に対する接触記録を有するソーシャルネットワークの１人以上の会員に対して、非会員に関する情報を提示してもよい。このように、会員は、情報を作成するために非会員によって使用される外部のソースの各々に手動でナビゲートする必要なしに、情報を見ることができる。
【００１２】
[0014]以下の説明では、ネットワークサービス、例えばソーシャルネットワークサービス、を介して情報集約技術を実行するように動作可能な例示的な環境及びシステムが最初に記載される。次いで、例示的な環境のほか他の環境を使用して実行され得る例示的な手続が記載される。したがって、手続の実施は環境に限定されず、環境は手続の実施に限定されない。
例示的な環境
[0015]図１は、情報を集めるように動作可能な例示的な実施例における環境１００の例である。例示的な情報は、ブログエントリー、マイクロブログエントリー、インスタントメッセージ、オフラインメッセージ、電子メールメッセージ（電子メール）などのコンテンツを含む。他の情報は、写真、動画、オーディオクリップ、アニメーションなどを含んでもよい。
【００１３】
[0016]図示された環境１００は、ソーシャルネットワークサービス１０２、及びネットワーク１０６を介して通信で結合される複数の会員（例示的な会員１０４が示される）を含む。非会員（スマートフォン１０８として示される）及びソース１１０（例えば、外部のソース）も示される。説明のさらなる明確さのため、会員及び／又は非会員は、それぞれ、会員１０４の装置又は非会員の装置を操作するユーザー又は人を指してもよい。会員１０４、ソーシャルネットワークサービス１０２、非会員、ソース１１０及びネットワーク１０６は、１つ以上の装置を表してもよい。例えば、会員１０４は複数の会員を表してもよい。
【００１４】
[0017]図示されるように、ソーシャルネットワークサービス１０２は集約サービス１１２及びメモリー１１４を含む。ソーシャルネットワークサービス１０２は、会員が情報とインタラクトすることを可能にするための機能を表す。ソーシャルネットワークサービス１０２は、会員が情報を交換し、ソーシャルネットワークサービス１０２によって格納された情報にアクセスし、ソーシャルネットワークサービス１０２を介してアクセス可能なソース（例えば、ソース１１０）からの情報にアクセスすることを可能にしてもよい。例えば、会員１０４は、外部のソース、例えば別個のサービスや第三者ソースによってサポートされるウェブページにアクセスするために、ソーシャルネットワークサービス１０２に貼られたリンクを使用してもよい。
【００１５】
[0018]便宜上、ソーシャルネットワークサービス１０２によって行われる機能は、様々なサービス、モジュール及び装置に関して記載される。ソーシャルネットワークサービス１０２におけるモジュール及びサービスは様々な方法で構成されてもよく、記載された機能は、単一のモジュールもしくはサービスによって行われてもよく、サブモジュールもしくはサービスによって行われてもよく、モジュールとサービスの組み合わせによって行われてもよい。例えば、集約サービス１１２は、ソーシャルネットワークサービス１０２のための１つ以上のプロセッサーによって実行されてもよい。
【００１６】
[0019]集約サービス１１２は、ソース１１０などの様々なソースから情報を集めるための機能を表す。ソーシャルネットワークサービス１０２は、情報の通信などを可能にするためにソース１１０と組んでもよい。例えば、ソース１１０及びソーシャルネットワークサービス１０２は、互いと独立したままでありつつ、情報の交換を可能にするなど、共通の技術標準を実施してもよい。
【００１７】
[0020]１つ以上の実施例において、集約サービス１１２はソース１１０から情報を取り出し及び／又は転送するように構成されてもよい。このように、ソーシャルネットワークサービス１０２は、例えば、ソース１１０を介して通信されるマイクロブログエントリー（マイクロブログ１２０のエントリー１１６及び１１８として示される）を検索してもよく、そうして、会員は非会員からの情報をフォローすることができる。
【００１８】
[0021]メモリー１１４は、情報、データ、プログラムなどを格納するために使用されてもよい。メモリー１１４はまた、メモリー１１４に通信で結合されたプロセッサーによって実行されるまで集約サービス１１２を実施するために使用されるコードを格納してもよい。
【００１９】
[0022]さらに示されるように、メモリー１１４は接触記録１２２及び非会員情報１２４を含む。非会員情報１２４はメモリー１１４に格納されてもよく、したがって、非会員がソーシャルネットワークサービス１０２の会員になることを選択する場合、情報が利用可能である。非会員は、ソーシャルネットワークサービス１０２にアカウント、例えばユーザーアカウント、を作成することにより、会員になってもよい。非会員情報１２４は、例えば、非会員情報にアクセスするための応答時間を最小化するためなど、他の目的に同様に使用されてもよい。
【００２０】
[0023]接触記録１２２は、非会員と通信するために会員によって使用可能なデータを表す。集約サービス１１２は、会員１０４がソーシャルネットワークサービス１０２を介して非会員と通信することを可能にするために非会員についての接触記録１２２を使用してもよい。接触記録１２２は、例えば、非会員によって投稿されたブログエントリーにアクセスするのに使用可能なデータを含んでもよい。例示的な接触記録データは、非会員情報を含むウェブページへのリンク、パスワード、ユーザー名、メッセージアドレスなどを含んでもよい。
【００２１】
[0024]集約サービス１１２は、会員１０４が手動で非会員を加えること及び／又は非会員からの通信に応答して、接触記録１２２を生成してもよい。後者の場合、非会員は、接触記録１２２を生成するのに使用可能な通信を会員１０４に送信してもよい。接触記録１２２は、会員１０４が非会員へ電子メッセージを送信することを可能にするために使用されてもよい。接触記録１２２はまた、非会員によって使用される様々な異なる外部ソースにアクセスするために使用されてもよい。例えば、接触記録１２２は、非会員が非会員に関連付けられる情報のフィードなどを投稿するマイクロブログサイト（例えば、写真共有ウェブサイト）を参照してもよい。
【００２２】
[0025]ソーシャルネットワークサービス１０２はまた、様々な他の機能を行い、これらの機能を行うために他のモジュール及び／又はサービスを含んでもよい。例えば、ソーシャルネットワークサービス１０２は、的を絞った広告（targeted advertisement）を提示する広告モジュールを含んでもよい。さらに、ソーシャルネットワークサービス１０２は、ネットワーク１０６を介して会員１０４にとって利用可能になり得る複数のサービスを管理するように構成されたサービスプロバイダーによって提供されてもよい。例えば、ソーシャルネットワークサービス１０２を含む様々なサービスは、１人以上の会員による出力のための、ネットワークを介して通信されるウェブページ又は他のユーザーインタフェースを介して、サービスプロバイダーによって提供されてもよい。サービスのいくつかの例は、検索サービス、電子メールを送受信するための電子メールサービス、ユーザー間でインスタントメッセージを提供するためのインスタントメッセージサービス、及び共通の関心及び活動を共有する会員１０４間の接続及びインタラクションを容易にするソーシャルネットワークサービス１０２を含むが、これらに限定されない。
【００２３】
[0026]メモリー１１４は、情報及び他のデータ、例えば接触記録を形成するデータ、を格納するための機能を表す。図示されるように、メモリー１１４は、集約サービス１１２のために非会員情報１２４を格納する。単一のメモリー１１４が示されるが、ランダム・アクセス・メモリー（ＲＡＭ）、ハードディスクメモリー、取り外し可能な媒体メモリー、外部メモリー及び他の種類のコンピューター読み取り可能な媒体などの、種々様々な種類のメモリー（例えば、有形のメモリー）及び組み合わせが使用されてもよい。他のネットワークサービスが、記載された技術、手法などを実施してもよい。
【００２４】
[0027]会員１０４は、例えばウェブサイトを介してソーシャルネットワークサービス１０２にアクセスするために使用される装置を指してもよい。いくつかの実施例において、会員１０４は、ソーシャルネットワークサービス１０２にアクセスするのに使用可能なソフトウェアを含む。図示されるように、会員１０４は、ソーシャルネットワークサービス１０２によって保持されるウェブサイトにアクセスするのに使用可能なウェブブラウザー１２６を含む。会員１０４は、ソフトウェア、装置などのソーシャルネットワークサービス１０２の論理的なクライアントであってもよい。他の会員１０４は同様にしてウェブブラウザーを実施してもよい。
【００２５】
[0028]会員１０４は、パーソナルコンピューター、モバイルコンピューティング装置、スマートフォン、携帯情報端末、ラップトップなどの様々な装置として構成されてもよい。会員１０４は、制限された機能をもつ（例えば、シンデバイス（thin device））ように又はロバストな機能をもつ（例えば、シックデバイス（thick device））ように構成されてもよい。したがって、装置の機能及び能力は、装置のソフトウェア又はハードウェア資源、例えば、処理パワー、メモリー（例えば、データ記憶能力）などに基づいて変わってもよい。
【００２６】
[0029]非会員はソーシャルネットワークサービス１０２を利用しない装置であってもよい。例えば、スマートフォン１０８は、別のソーシャルネットワークサービス、異なるサービス、異なるサービスプロバイダー及び／又は他のネットワーク対応の機能などを使用してもよい。いくつかのシナリオでは、非会員は、ソーシャルネットワークサービス１０２に参加してもよく、その時に、非会員はソーシャルネットワークサービス１０２を利用してもよい。非会員は（例えば、アカウントに登録することによって）ソーシャルネットワークサービス１０２に参加してもよいが、説明の連続性を維持するために非会員という語を使用することとする。
【００２７】
[0030]非会員は、ソース１１０を介して情報とインタラクトする機能を表す。例えば、非会員は、ブログを投稿し、ブログエントリーを検索又は受信し、写真を提供し、コンテンツを作成したりすることなどにより、インタラクトしてもよい。非会員はまた、ソース１１０によって提供される１つ以上のウェブページにアクセスするように動作可能なウェブブラウザーを介してインタラクトしてもよい。非会員はまた、パーソナルコンピューター、モバイルコンピューティング装置、スマートフォン、携帯情報端末、ラップトップなどの、異なる能力を有する様々な装置として構成されてもよい。
【００２８】
[0031]たとえ非会員がソーシャルネットワークサービス１０２に加入したり当該サービスを利用したりしないとしても、非会員は、機能的にソーシャルネットワークサービス１０２とインタラクトすることができてもよい。例えば、非会員は、ソーシャルネットワークサービス１０２を含む様々なサービスを提供するサービスプロバイダーにアカウントを有してもよい。非会員は、サービスプロバイダーから利用可能な様々なサービスの中から選択することができてもよい。
【００２９】
[0032]ソース１１０は非会員によって提供される情報を通信するように動作可能である。図示されるように、ソース１１０は、非会員によって供給される情報を提供するためにウェブサイトを保持し得るウェブサーバーである。他の種類の情報は、写真、ウェブページ、オーディオファイルなどを含む。いくつかの状況において、ソース１１０は他の団体（パーティ）へ情報を転送するように構成される。例えば、ソース１１０は、非会員の情報をフォローするか又は予約購読するために参加した他のユーザーへ情報を転送してもよい。したがって、ソース１１０は、非会員に関連する情報のフィードを加入者のグループへ提供するように構成されてもよい。マイクロブログ及びマイクロブログを行うことが記載されるが、ソース１１０は他の種類の情報に使用されてもよい。
【００３０】
[0033]（情報のフィードを提供し得る）他のソースは、ＹＯＵＴＵＢＥ（ユーチューブ、ＬＬＣ、サンブルノ、ＣＡ）、ＰＨＯＴＯＢＵＣＫＥＴ（Ｐｈｏｔｏｂｕｃｋｅｔ社、サンフランシスコ、ＣＡ）、ＴＷＩＴＴＥＲ（ツイッター社、サンフランシスコ、ＣＡ）などを含むが、これらに限定されない。そのようなソースからの情報のフィードはソーシャルネットワークサービス１０２とのリンクを介してアクセスされてもよい。会員のウェブブラウザー１２６をソース１１０に向けるリンクが使用されてもよい。
【００３１】
[0034]図１にさらに示されるように、会員、非会員、会員、ソース１１０及びソーシャルネットワークサービス１０２のうちの１つ又は複数は、ネットワーク１０６を介して通信してもよい。ネットワーク１０６はインターネットとして示されるが、ネットワーク１０６は種々様々の構成を仮定してもよい。例えば、ネットワーク１０６は、広域ネットワーク（ＷＡＮ）、ローカルエリアネットワーク（ＬＡＮ）、ワイヤレスネットワーク、公衆電話網、イントラネットなどを含んでもよい。さらに、ネットワークは複数のネットワークを含むように構成されてもよい。図示されるように、例えば、非会員は、ネットワーク１０６を介して通信し得るトランシーバーを備えたセルラーネットワークなどのワイヤレスネットワーク１２８を介して通信してもよい。
【００３２】
[0035]一般に、本明細書において記載された機能のうちの任意のものは、ソフトウェア、ファームウェア、ハードウェア（例えば、固定論理回路）、マニュアル処理又はこれらの実施の組み合わせを使用して実施することができる。本明細書において使用されるとき、「モジュール」、「機能」、「サービス」及び「論理」という用語は、一般に、ソフトウェア、ファームウェア、ハードウェア又はソフトウェア、ファームウェアもしくはハードウェアの組み合わせを表す。ソフトウェアの実施例の場合には、モジュール、機能又は論理は、プロセッサー（例えば、ＣＰＵ）上で実行されると指定されたタスクを行うプログラムコードを表す。プログラムコードは、１つ以上のコンピューター読み取り可能なメモリー装置（例えば、１つ以上の有形の媒体）などに格納されてもよい。本明細書において記載された構造、機能、手法、及び技術は、様々なプロセッサーを有する様々な商用コンピューティング・プラットフォーム上で実施されてもよい。
【００３３】
[0036]ソフトウェアの移植においてソフトウェアを実行するために使用されるプロセッサーは、それらが形成される材料（materials）又は使用される処理機構によって限定されない。例えば、プロセッサーは、半導体及び／又はトランジスター（例えば、電子集積回路（ＩＣ））で構成されてもよい。環境１００について議論したが、情報集約技術を実施するように動作可能な例示的なシステムがここでは記載される。
【００３４】
[0037]図２は、集約サービス１１２の動作をさらに詳細に示す例示的な実施例におけるシステム２００を示す。また、ウェブブラウザー、例えばブラウザー１２６を介した出力のための集約サービス１１２の使用を通じて提示される例示的なウェブページ２０２もまた示される。
【００３５】
[0038]説明のみの目的で、情報を含む通信２０２は、ネットワーク１０６を介して非会員から受信される。例えば、通信２０２はマイクロブログエントリーであってもよい。情報は、（例えば、ウェブサイトを介して）会員１０４がソースにアクセスすること、非会員情報をフォローする招待を受信することなどに応答して、受信されてもよい。
【００３６】
[0039]情報に加えて、通信２０２は、情報のソース（例えば、ソース１１０）を示し、及び／又は非会員からの情報をフォローし、当該情報にアクセスし、当該情報を予約購読し、そうでなければ当該情報を利用するのに使用可能なデータを含んでもよい。例示的なデータは、ユニフォーム・リソース・ロケーター（ＵＲＬ）、ソース名、ユーザー名、パスワードを含むがこれらに限定されない。例えば、電子メールは、非会員によって続いて投稿及び／又は通信される情報をソーシャルネットワークサービス１０２が検索する（取り出す）ことを可能にするために、リンク及びパスワードを含んでもよい。
【００３７】
[0040]集約サービス１１２は、接触記録、例えば接触記録１２２、を作成するためにデータを使用してもよい。例えば、集約サービス１１２は、接触記録１２２に示された各ソースから利用可能な更新についてチェックしてもよい。集約サービス１１２は、イベント（例えば、ログイン）の発生の際や、設定可能な間隔（例えば、毎日）でなど、更新をチェックしてもよい。集約サービス１１２は、会員１０４に対応するプロフィール２０４に接触記録１２２を含めてもよい。
【００３８】
[0041]集約サービス１１２は会員１０４への提示のための情報を受信するように動作可能である。例えば、集約サービス１１２は非会員のマイクロブログの投稿を集めてもよい。図示された例において、提示（プレゼンテーション）はウェブブラウザー１２６を介してウェブページ２０６として出力される。
【００３９】
[0042]図示されるように、集約サービス１１２は、会員１０４による選択によって追加の情報を受信することを可能にしてもよい。例えば、会員は、「更新追加」ボタン２０８を選択することにより、追加の情報を受信してもよい。このように、会員１０４は、接触記録１２２に含まれるソースを使用して作成された非会員についての情報をフォローしてもよい。他の会員はまた、同様に情報を受信することを選択してもよい。例えば、非会員との通信を可能にするため及び／又は非会員に対応する情報にアクセスし、当該情報をフォローし、当該情報を予約購読しもしくはそうでなければ当該情報を利用するために他の会員が接触記録１２２を利用し得るように、会員１０４は、接触記録１２２を他の会員へ転送してもよい。
【００４０】
[0043]実施例において、ソーシャルネットワークサービス１０２は、手動のソース選択を受け取るように構成されてもよい。例えば、会員１０４は、ソーシャルネットワークサービス１０２がウェブページについての情報を集めることを可能にするために情報を投稿するべく非会員によって使用されるウェブページのＵＲＬを手動で入力してもよい。
【００４１】
[0044]図３に示されるように、非会員についての情報を格納するために集約サービス１１２が使用されるシステム３００が示される。集約サービス１１２は、情報（例えば、非会員情報１２４）を格納してもよく、したがって、当該情報は、非会員がソーシャルネットワークサービス１０２に参加することを選択する場合、ソーシャルネットワークサービス１０２にアカウントを追加するために利用可能である。したがって、非会員は、非会員がソーシャルネットワークサービス１０２に参加する前に蓄積された非会員情報１２４にアクセスしてもよい。非会員によって作成された非会員情報に加えて、集約サービス１１２は、他者によって非会員に通信された情報を格納してもよい。例えば、集約サービス１１２は会員１０４から非会員への電子メールを格納してもよい。
【００４２】
[0045]実施例において、集約サービス１１２は、ソーシャルネットワークサービス１０２にアカウントを確立するために、非会員へ招待状（invitation）３０２を送信するように構成される。例えば、集約サービス１１２は、非会員に対応する情報をもつ会員によるインタラクションに応答して、非会員にインスタントメッセージ３０４を送信してもよい。
【００４３】
[0046]招待状３０２は、会員１０４からの情報、ソーシャルネットワークサービス１０２にアカウントを作成するのに使用可能なデータなどを含んでもよい。例示的なデータは、パスワード、ユーザー名、リンク、アカウント識別子などを含んでもよい。会員１０４からの情報に加えて、招待状３０２はまた、会員１０４、会員に対応するソーシャルネットワーク、他の会員、ソーシャルネットワークサービス１０２などに関する情報を含んでもよい。例えば、招待状３０２は、ソーシャルネットワークサービス１０２の特徴、コスト、利用規約などを記述する広告などの広告を含んでもよい。広告はまた、ソーシャルネットワークの会員のインタラクションに基づいてもよい。例えば、会員がソーシャルネットワークサービス１０２を介してクラシック音楽への関心を示す場合、広告は、来たるオーケストライベントやクラシック音楽を販売する小売業者を募集するように構成されてもよい。
【００４４】
[0047]招待状３０２は、様々な適切な通信技術を使用して通信されてもよい。例えば、非会員によって投稿された写真を受信することに応答して、集約サービス１１２によって、電子メールの招待状が非会員に送信されてもよい。別の例において、集約サービス１１２は、会員によってアクセスされる非会員の投稿に対するコメント又は当該投稿に応答した投稿を加えることによって、招待状を提供してもよい。集約サービス１１２は、（例えば、会員によるアクセスに応答して）招待状を自動的に生成するように構成されてもよい。さらに又は代替的に、集約サービス１１２は、招待状３０２を生成又は送信する前に会員１０４から許可を得るように構成されてもよい。
【００４５】
[0048]招待状３０２に応答して又は他の方法で、非会員がアカウントを確立することを選択する場合、ソーシャルネットワークサービス１０２は、非会員のアカウントをソーシャルネットワークサービス１０２に作成するために接触記録１２２及び非会員情報１２４を使用してもよい。例えば、非会員情報１２４が非会員のために作成されたアカウントに追加される前に、ソーシャルネットワークサービス１０２は、接触記録１２２からのデータを使用して、非会員の同一性（ＩＤ）を確認及び／又は認証してもよい。様々な他の例もまた考えられる。
例示的な手続
[0049]以下の説明は、以前に記載されたシステム、技術、手法、サービス及びモジュールを利用して実施され得る手続について記載する。各々の手続の態様は、ハードウェア、ファームウェア、ソフトウェア又はそれらの組み合わせで実施されてもよい。手続は、１つ以上の装置によって実行される動作を指定し、それぞれのブロックによる動作の実行のために示される順序に必ずしも限定されないブロックの組として示される。以下の説明の部分において、図１の環境１００及び上述のシステムへの言及がなされる。
【００４６】
[0050]図４は、サービス、例えばソーシャルネットワークサービス、についての情報を集めるために情報集約技術が使用される、例示的な実施例における手続４００を示す。例えば、手続４００は、１つ以上のソースを介して利用可能な、非会員に関連付けられる情報を集めるために使用されてもよい。
【００４７】
[0051]１つ以上の実施例において、非会員からの情報を含む通信が受信される（ブロック４０２）。例えば、スマートフォン１０８を使用して非会員によって作成されたブログ投稿は、ネットワーク１０６を介してソーシャルネットワークサービス１０２に通信されてもよい。ブログ投稿の通信は、ブログが利用可能であるソース１１０を識別するためのデータを含んでもよい。また、当該通信は、非会員との通信、例えば情報の送受信、を可能にするために、接触記録を作成するのに使用され得るデータ（例えば、リンク、アカウントデータなど）を含んでもよい。
【００４８】
[0052]接触記録が作成される（ブロック４０４）。接触記録は、通信からのデータ及び／又は選択されたソースからの情報の集約を引き起こすために会員１０４から手動で受信されたデータを含んでもよい。例えば、会員１０４は、会員でない友人が情報を投稿するウェブサイトに対応するＵＲＬを入力してもよい。接触記録１２２は、情報とインタラクトするために会員１０４による選択に応答して作成されてもよい。例えば、上記の例において、会員１０４は、ブログ投稿を見るためにブラウザーをナビゲートしてもよい。このナビゲーションに応答して、集約サービス１１２は、ブログ及び／又は非会員に関連する接触記録１２２を作成してもよい。
【００４９】
[0053]非会員についての接触記録が作成された場合、非会員情報が集められる（ブロック４０６）。例えば、以前の例において作成された接触記録１２２は、ブログに対応する非会員についての情報を集めるために使用されてもよい。１つ以上の実施例において、集約は、ソーシャルネットワークサービスによる情報の記憶をもたらし得る（ブロック４０８）。情報は、会員のソーシャルネットワークサービス１０４のアカウントと共に格納されてもよい。当該情報と非会員についての接触記録に含まれるデータとの間で関連付けが形成されてもよい（ブロック４１０）。例示的なデータは、非会員の名前、データのソース（例えば、ソース１１０）、ソースのアカウントについてのアカウントデータなどを含む。情報は、ソースが当該情報をプッシュすること（例えば、情報のフィード）又は集約サービス１１２が情報を得ること、例えば情報を取ることに応答して、受信されてもよい、
[0054]１つ以上の実施例において、非会員からの情報が、会員による選択に応答して集められる。例えば、接触記録が作成されてもよく、上記の例において非会員によって作成されたブログエントリーとインタラクトするために、会員による選択に応答して、非会員情報が集められてもよい。
【００５０】
[0055]非会員についての情報を接触記録におけるデータと関連付けることは、ソーシャルネットワークサービス１０２を介して１人以上の会員に対して、非会員に対応する情報を提示することを可能にする。情報は会員１０４に情報のフィードとして提供されてもよい。非会員との接触の記録をとり、会員１０４がソーシャルネットワークサービス１０２を介して非会員に情報を通信することを可能にするために、接触記録１２２が会員のプロフィール（例えば、プロフィール２０４）に含まれてもよい。例えば、非会員ブログに対してなされる個々の更新は、集約サービス１１２によって受信され、会員と非会員との間のインタラクションの接触を追跡するために、接触記録１２２に加えられ又はそうでなければ接触記録１２２と関連付けられる。
【００５１】
[0056]情報を接触記録１２２中のデータと関連付けることはまた、非会員に対してソーシャルネットワークサービス１０２にその後に作成されるアカウントにデータが含められることを可能にしてもよい。例えば、非会員のアカウントが作成される場合、以前に集められた非会員情報１２４はアカウントを追加するために使用されてもよい。例えば、ソーシャルネットワークサービス１０２は、非会員がソーシャルネットワークサービス１０２に参加することを試みる場合、非会員に対応する情報（例えば、接触記録１２２）が存在しているかどうかチェックしてもよい。そのような既存の情報は、１人以上の会員アカウントに格納されたり、個別の接触記録１２２としてソーシャルネットワークサービスによって格納されたりしてもよい。ソーシャルネットワークサービス１０２は、特定の非会員についての情報が存在しているかどうかを確認するために、様々な識別情報（例えば、メッセージアドレス、ユーザー名、パスワード）を利用してもよい。このことは、識別情報を入力するように非会員に促すこと、及び既存の記録を検索するために入力を使用することを含んでもよい。
【００５２】
[0057]情報が非会員について集められる場合、当該情報は１人以上の会員に提示される（ブロック４１２）。特に、集約サービス１１２は、集められた情報を含むウェブページを構成するために、接触記録１２２及び／又は関連付けられるデータを利用してもよい。例えば、図３に示されるようなウェブページ２０６は、様々なブログ投稿、写真、通信、及び／又は非会員に対応する他の適切な情報を含むように構成されてもよい。非会員についての接触記録を有する各会員には、会員のウェブブラウザーを介した出力のために、集められた情報が提示されてもよい。情報は、ソーシャルネットワークサービス１０２とのインタラクションのために出力される、会員のプロフィールページ、グループウェブページ、メッセージボードなどの様々なウェブページ内に示されてもよい。
【００５３】
[0058]１つ以上の実施例において、招待状が非会員へ送信される（ブロック４１４）。招待状は、ソーシャルネットワークサービス１０２にアカウントを作成することを可能にするように構成されてもよい。例えば、招待状は、非会員についてのアカウントを作成するために使用され得るアカウント名及びパスワードを含んでもよい。招待状はまた、ソーシャルネットワークサービスにアカウントを作成するために使用され得るリンクを含んでもよい。招待状は、非会員に対応する情報との会員のインタラクションに応答して送信されてもよい。例示的なインタラクションは、情報を転送すること、情報にアクセスすること、情報とともに含まれるデータに基づいて接触記録を作成すること、返信を通信することなどを含む。
【００５４】
[0059]アカウントが作成される前に集められた非会員情報は、アカウントに含まれる（ブロック４１６）。例えば、ソーシャルネットワークサービス１０２は、上述のように、既存の非会員情報が利用可能であるという決定に応答して、非会員についての情報を備えたアカウントを加えてもよい。
【００５５】
[0060]１つ以上の実施例において、非会員がアカウントを確立したことを示す通知が１人以上の会員に送信される（ブロック４１８）。通知は、非会員アカウントに関連付けられるデータ、会員のソーシャルネットワークに会員が非会員（例えば、友人及び家族）を加えることを可能にするリンクなどを含んでもよい。このように、会員は、非会員がソーシャルネットワークサービスに参加したこと及び／又は会員自身のソーシャルネットワークに参加したことを通知されてもよい。
【００５６】
[0061]さらなる実施例において、非会員のアカウントの作成の後に、ソースから受信された情報が、非会員のアカウントからの１人以上の会員へ転送される（ブロック４２０）。例えば、非会員がアカウントを一旦確立すると、非会員についての情報の集約は中止されてもよい。会員１０４がソース１１０からデータを集めることによってではなくソーシャルネットワークサービス１０２を介して情報とインタラクトし得るように、集約の代わりに、非会員に関連する情報が非会員のアカウントにリンクされて当該アカウントを介して転送されてもよい。このように、非会員は、投稿及び他の情報をもたらすためにソーシャルネットワークサービス１０２を使用するように見える一方、外部のソースを使用し続けてもよい。外部のソースを通じてなされる投稿は、ソーシャルネットワークサービス１０２からもたらされる投稿と同じ方法で他の会員に配信されてもよい。様々な他の例も考えられる。
結び
[0062]本発明は構造的特徴及び／又は方法論の動作に特有の言葉で記載されてきたが、添付の特許請求の範囲において規定される発明が記載された特定の特徴又は動作に必ずしも限定されないことが理解されるべきである。より正確に言えば、特定の特徴及び動作は特許請求された発明を実施する例示的な形式として開示されている。
【図１】
2012533116.tif 000003
【図２】
2012533116.tif 000004
【図３】
2012533116.tif 000005
【図４】
2012533116.tif 000006
【国際調査報告】
2012533116.tif 000007
2012533116.tif 000008